(57)【要約】【課題】部品点数および組立工数や材料費を削減するとともに、収納空間に収納される製品が破損することを抑制することが可能な梱包部材を提供する。【解決手段】この梱包部材では、仕切り２は、下部に複数の切り欠き部２ｂを有し、底板３の上面には、仕切り２の複数の切り欠き部２ｂに嵌め込まれる筒状の段ボール製の複数の突出部３ａが設けられている。また、底板３の突出部３ａは、仕切り２の切り欠き部２ｂが形成される表面に対して交差する方向に延びるように形成されている。また、天板４は、天板４の上面から上方に突出するように設けられた筒状の段ボール製の複数の突出部４ａを含む。また、仕切り２は、仕切り１の外側面から所定の長さ分、外側方に突出する側端部２ｃを有し、仕切り１のスリット１ａが形成される側の端部に一体的に形成され、外側方に折り曲げられた複数の補強片１ｂをさらに備える。【選択図】図１
2006062665.tif 000002
【特許請求の範囲】
【請求項１】
第１スリットを有する段ボール製の第１仕切りと、前記第１スリットに嵌め込まれる第２スリットを有する段ボール製の複数の第２仕切りと、段ボール製の底板部と、段ボール製の天板とを備えた梱包部材において、
前記第２仕切りは、下部に複数の切り欠き部を有し、
前記底板部の上面には、前記第２仕切りの複数の切り欠き部に嵌め込まれる筒状の段ボール製の複数の第１突出部が設けられており、
前記底板部の第１突出部は、前記第２仕切りの前記切り欠き部が形成される表面に対して交差する方向に延びるように形成されており、
前記天板は、前記天板の上面から上方に突出するように設けられた筒状の段ボール製の複数の第２突出部を含み、
前記第２仕切りは、前記第１仕切りの外側面から所定の長さ分、外側方に突出する側端部を有し、
前記第１仕切りの前記第１スリットが形成される側の端部に一体的に形成され、外側方に折り曲げられた複数の補強片をさらに備える、梱包部材。
【請求項２】
第１スリットを有する段ボール製の第１仕切りと、
前記第１スリットに嵌め込まれる第２スリットを有するとともに、下部に複数の切り欠き部を有する段ボール製の複数の第２仕切りと、
前記第２仕切りの複数の切り欠き部に嵌め込まれる筒状の段ボール製の複数の第１突出部を上面に有する段ボール製の底板部とを備えた、梱包部材。
【請求項３】
前記底板部の第１突出部は、前記第２仕切りの前記切り欠き部が形成される表面に対して交差する方向に延びるように形成されている、請求項２に記載の梱包部材。
【請求項４】
段ボール製の天板をさらに備え、
前記天板は、前記天板の上面から上方に突出するように設けられた筒状の段ボール製の複数の第２突出部を含む、請求項２または３に記載の梱包部材。
【請求項５】
前記第２仕切りは、前記第１仕切りの外側面から所定の長さ分、外側方に突出する側端部を有し、
前記第１仕切りの前記第１スリットが形成される側の端部に一体的に形成され、外側方に折り曲げられた複数の補強片をさらに備える、請求項２〜４のいずれか１項に記載の梱包部材。
【発明の詳細な説明】
【技術分野】
【０００１】
この発明は、梱包部材に関し、特に、製品を収納するための収納空間を備える梱包部材に関する。
【背景技術】
【０００２】
従来、製品を収納するための収納空間を備える梱包部材が知られている（たとえば、特許文献１〜３参照）。
【０００３】
上記特許文献１には、第１仕切り板に第２仕切り板を嵌め込み、第１仕切り板と第２仕切り板とによって製品を収納するための収納空間を構成した紙仕切り（梱包部材）が開示されている。
【０００４】
上記特許文献２には、製品を収納するための収納空間の下部側に、製品に対する衝撃を緩衝するための脚部を設けた組立式包装用段ボール製仕切り容器（梱包部材）が開示されている。
【０００５】
上記特許文献３には、一枚の素材を折り曲げることにより形成され、製品を収納するための複数の収納空間を形成する中仕切り（梱包部材）が開示されている。
【０００６】
図１３は、従来の一例による段ボール製の梱包部材の全体構成を示した分解斜視図である。図１４および図１５は、図１３に示した従来の段ボール製の梱包部材の仕切りを示した正面図である。図１６〜図１８は、図１３に示した段ボール製の梱包部材の構造の詳細を説明するための図である。図１３〜図１８を参照して、従来の段ボール製の梱包部材の構造について説明する。
【０００７】
従来の一例による段ボール製の梱包部材は、図１３に示すように、一対の仕切り１０１と、一対の仕切り１０１と組み合わされる７つの仕切り１０２と、底板１０３と、天板１０４と、梱包箱１０５とを備えている。また、図１４に示すように、仕切り１０１には、７つのスリット１０１ａが設けられている。また、図１５に示すように、仕切り１０２には、仕切り１０１のスリット１０１ａ（図１４参照）に嵌め込まれる２つのスリット１０２ａが設けられている。また、仕切り１０２には、図１３に示すように、仕切り１０１の外側面から所定の長さ分、外側方に突出する側端部１０２ｂが設けられている。
【０００８】
また、図１３に示すように、底板１０３の上面には、緩衝材として機能する２つの突出部１０３ａが設けられている。この底板１０３の突出部１０３ａは、図１７に示すように、複数の段ボール製の部材を積層して貼り合わせた部材、または、発泡スチロールによって形成されている。また、底板１０３の突出部１０３ａは、底板１０３の上面に両面テープによって貼付されている。また、天板１０４には、図１３に示すように、緩衝材として機能する２つの突出部１０４ａが設けられている。この天板１０４の突出部１０４ａは、底板１０３の突出部１０３ａと同様、図１７に示すように、複数の段ボール製の部材を積層して貼り合わせた部材、または、発泡スチロールによって形成されている。また、天板１０４の突出部１０４ａは、天板１０４の上面に両面テープによって貼付されている。また、天板１０４の下面は、仕切り１０１の上端および仕切り１０２の上端により支持される。
【０００９】
また、段ボール製の梱包箱１０５には、図１３に示すように、一対の天面フラップ部１０５ａと、一対の天面フラップ部１０５ｂとが、それぞれ、互いに対向するように設けら
れている。この梱包箱１０５の天面フラップ部１０５ｂは、図１８に示すように、梱包箱１０５の天面フラップ部１０５ａの上部に重なるように配置される。また、天板１０４の突出部１０４ａにより、天板１０４の上面と梱包箱１０５の天面フラップ部１０５ａの下面との間に、梱包箱１０５の上部側からの衝撃を吸収することが可能な隙間が設けられる。また、仕切り１０１および１０２の側面と梱包箱１０５の内側面との間に、梱包箱１０５の外部側からの衝撃を吸収することが可能な隙間が設けられている。
【００１０】
また、図１３に示すように、２つの仕切り１０１と７つの仕切り１０２とによって、６つの収納空間１０６が構成されている。この収納空間１０６には、図１８に示すように、製品１０７が収納される。この製品１０７には、下部側に突出した突起部１０７ａと、上部側に突出した突起部１０７ｂと、両側部側に突出した突起部１０７ｃとが設けられている。また、底板１０３の突出部１０３ａは、製品１０７の突起部１０７ａに接触しないように、製品１０７の下面を支持している。
【００１１】
次に、図１３〜図１５および図１８を参照して、従来の段ボール製の梱包部材の組立方法および製品の梱包方法について説明する。まず、一対の仕切り１０１（図１４参照）を対向するように配置するとともに、その一対の仕切り１０１のスリット１０１ａに、７つの仕切り１０２（図１５参照）のスリット１０２ａを嵌め込む。これにより、図１３に示すように、仕切り１０１と仕切り１０２とにより６つの収納空間１０６を有する仕切り部材が形成される。次に、底板１０３と仕切り１０１および仕切り１０２からなる仕切り部材とを、梱包箱１０５の上方側から順次梱包箱１０５に嵌め込む。さらに、６つの収納空間１０６に製品１０７を収納した後、梱包箱１０５の上方側から天板１０４を梱包箱１０５に嵌め込む。そして、梱包箱１０５の天面フラップ部１０５ａを内側に折り曲げた後、天面フラップ部１０５ｂを内側に折り曲げる。これにより、図１８に示すように、製品１０７の梱包が完了する。
【特許文献１】特開２０００−２０３５６０号公報
【特許文献２】特開平９−２４０６５７号公報
【特許文献３】実開昭５７−３５２１９号公報
【発明の開示】
【発明が解決しようとする課題】
【００１２】
図１３〜図１８に示した従来の梱包部材では、梱包箱１０５の内側面と、仕切り１０２の側端面との間に隙間がある場合には、水平方向の衝撃が加わった場合に、仕切り１０１および１０２の位置がずれるので、仕切り１０１および１０２によって構成される収納空間１０６の位置ずれが発生するという問題点があった。従来では、この衝撃が加わった場合の収納空間１０６の位置ずれに起因して、収納空間１０６に収納される製品１０７が破損する場合があるという問題点があった。
【００１３】
また、図１３〜図１８に示した従来の梱包部材では、製品１０７の自重や上下方向の衝撃が、突出部１０３ａに加わるため、突出部１０３ａに高い強度を与える必要がある。このため、従来では、突出部１０３ａを複数の段ボール製の部材を積層して貼り合わせることにより形成するか、または、高い強度を有する発泡スチロールによって形成する必要があるという問題点があった。また、このように、複数の段ボール製の部材を積層して貼り合わせることにより突出部１０３ａを形成する場合には、部品点数が増加するとともに、複数の段ボール製の部材を貼り合わせる組立作業により、組立工数が増加するという問題点があった。また、突出部１０３ａを、発泡スチロールによって形成する場合には、発泡スチロールは段ボールよりも高価であるので、突出部１０３ａの材料費が増加するという問題点もあった。
【００１４】
また、上記特許文献１に開示された紙仕切り（梱包部材）では、段ボール製の梱包箱内
に配置された場合に、梱包箱の内周面との間に隙間がある場合には、水平方向の衝撃により、第１仕切り板および第２仕切り板の位置がずれるという不都合がある。これにより、第１仕切り板および第２仕切りによって構成される収納空間の位置ずれが発生するので、水平方向の衝撃による収納空間の位置ずれに起因して、収納空間に収納される製品が破損する場合があるという問題点がある。
【００１５】
また、上記特許文献２に開示された組立式の包装用段ボール製仕切り容器（梱包部材）では、段ボール箱内に配置された場合に、段ボール箱の内側面との隙間がある場合には、水平方向の衝撃を受けると、収納空間の位置ずれが発生するという不都合がある。このため、水平方向の衝撃による収納空間の位置ずれに起因して、収納空間に収納される製品が破損する場合があるという問題点がある。
【００１６】
また、上記特許文献３に開示された中仕切り（梱包部材）では、製品の下面全体を支持する構造であるため、製品の下面側に空間がない。このため、上下方向の衝撃を受けた場合に、製品が破損しやすいという問題点がある。
【００１７】
この発明は、上記のような課題を解決するためになされたものであり、この発明の１つの目的は、部品点数および組立工数や材料費を削減するとともに、収納空間に収納される製品が破損することを抑制することが可能な梱包部材を提供することである。
【課題を解決するための手段】
【００１８】
この発明の第１の局面における梱包部材は、第１スリットを有する段ボール製の第１仕切りと、第１スリットに嵌め込まれる第２スリットを有する段ボール製の複数の第２仕切りと、段ボール製の底板部と、段ボール製の天板とを備えた梱包部材において、第２仕切りは、下部に複数の切り欠き部を有し、底板部の上面には、第２仕切りの複数の切り欠き部に嵌め込まれる筒状の段ボール製の複数の第１突出部が設けられており、底板部の第１突出部は、第２仕切りの切り欠き部が形成される表面に対して交差する方向に延びるように形成されており、天板は、天板の上面から上方に突出するように設けられた筒状の段ボール製の複数の第２突出部を含み、第２仕切りは、第１仕切りの外側面から所定の長さ分、外側方に突出する側端部を有し、第１仕切りの第１スリットが形成される側の端部に一体的に形成され、外側方に折り曲げられた複数の補強片をさらに備える。
【００１９】
この第１の局面による梱包部材では、上記のように、下部に複数の切り欠き部を有する段ボール製の複数の第２仕切りと、第２仕切りの複数の切り欠き部に嵌め込まれる筒状の段ボール製の複数の第１突出部を上面に有する段ボール製の底板部とを設けることによって、底板部の第１突出部と第２仕切りの切り欠き部との嵌合により、第２仕切りの切り欠き部の位置がずれるのを抑制することができる。これにより、第２仕切りと、第２仕切りの第２スリットに嵌め込まれる第１仕切りとの位置がずれるのを抑制することができるので、第１仕切りと第２仕切りとによって構成される収納空間の位置ずれを防止することができる。これにより、収納空間の位置ずれに起因して、収納空間に収納される製品が破損するのを抑制することができる。また、底板部の筒状の段ボール製の第１突出部を、第２仕切りの複数の切り欠き部に嵌合させることによって、筒状の段ボール製の複数の第１突出部の両側面を第２仕切りの複数の切り欠き部の両方の内側面により挟み込むことができる。これにより、強度がそれほど高くない筒状の段ボール製の第１突出部を設けた場合でも、第１仕切りと第２仕切りとにより構成される収納空間に収納される製品の自重や上下方向の衝撃によって、第１突出部が押しつぶされにくくなるので、収納空間に収納される製品が破損するのを抑制することができる。また、筒状の段ボール製の第１突出部の緩衝機能により、上下方向の衝撃が加わった場合にも、衝撃を吸収することができる。また、底板部の第１突出部を筒状の段ボールにより形成することによって、第１突出部を複数の段ボール製の部材を積層して貼り合わせることにより形成する場合と異なり、複数の段ボ
ール製の部材が不要になるので、その分、部品点数を削減することができる。また、第１突出部を複数の段ボール製の部材を積層して貼り合わせることにより形成する場合と異なり、複数の段ボール製の部材を積層して貼り合わせる組立作業が不要になるので、組立工数を削減することができる。また、第１突出部を筒状の段ボールにより形成することによって、第１突出部を段ボールよりも高価な発泡スチロールによって形成する場合に比べて、第１突出部の材料費を削減することができる。
【００２０】
また、底板部の第１突出部を、第２仕切りの切り欠き部が形成される表面に対して交差する方向に延びるように形成することによって、底板部の第１突出部が、第２仕切りの切り欠き部が形成される表面に対して交差する方向に延びるように形成されていない場合に比べて、より多くの第２仕切りに設けられた切り欠き部を、底板部の第１突出部に嵌合させることができる。この底板部の第１突出部と第２仕切りの切り欠き部との嵌合により、第２仕切りの切り欠き部の位置がずれるのをより抑制することができる。これにより、第２仕切りと、第２仕切りの第２スリットに嵌め込まれる第１仕切りとの位置がずれるのをより抑制することができるので、第１仕切りと第２仕切りとによって構成される収納空間の位置ずれをより防止することができる。これにより、収納空間の位置ずれに起因して、収納空間に収納される製品が破損するのをより抑制することができる。また、天板に、天板の上面から上方に突出するように設けられた筒状の段ボール製の複数の第２突出部を設けることによって、第２突出部を複数の段ボール製の部材を積層して貼り合わせることにより形成する場合と異なり、複数の段ボール製の部材が不要になるので、その分、部品点数を削減することができる。また、第２突出部を複数の段ボール製の部材を積層して貼り合わせることにより形成する場合と異なり、複数の段ボール製の部材を積層して貼り合わせる組立作業が不要になるので、組立工数を削減することができる。また、第２突出部を筒状の段ボールにより形成することによって、第２突出部を段ボールよりも高価な発泡スチロールによって形成する場合に比べて、第２突出部の材料費を削減することができる。また、第２仕切りに、第１仕切りの外側面から所定の長さ分、外側方に突出する側端部を設けるとともに、第１仕切りの第１スリットが形成される側の端部に一体的に形成され、外側方に折り曲げられた複数の補強片を設けることによって、複数の第２仕切りを第１仕切りに嵌め込み梱包箱に収納する場合には、外側方に折り曲げられた第１仕切りの補強片によって、第１仕切りの第１スリットが形成される側の端部が外側方に折れ曲がるのを抑制することができる。これにより、収納空間に収納される製品が水平方向に移動しても、第１仕切りの第１スリットが形成される側の端部が外側に折れ曲がるのを抑制することができるので、収納空間に収納される製品が破損するのを抑制することができる。
【００２１】
この発明の第２の局面における梱包部材は、第１スリットを有する段ボール製の第１仕切りと、第１スリットに嵌め込まれる第２スリットを有するとともに、下部に複数の切り欠き部を有する段ボール製の複数の第２仕切りと、第２仕切りの複数の切り欠き部に嵌め込まれる筒状の段ボール製の複数の第１突出部を上面に有する段ボール製の底板部とを備える。
【００２２】
この第２の局面による梱包部材では、上記のように、下部に複数の切り欠き部を有する段ボール製の複数の第２仕切りと、第２仕切りの複数の切り欠き部に嵌め込まれる筒状の段ボール製の複数の第１突出部を上面に有する段ボール製の底板部とを設けることによって、底板部の第１突出部と第２仕切りの切り欠き部との嵌合により、第２仕切りの切り欠き部の位置がずれるのを抑制することができる。これにより、第２仕切りと、第２仕切りの第２スリットに嵌め込まれる第１仕切りとの位置がずれるのを抑制することができるので、第１仕切りと第２仕切りとによって構成される収納空間の位置ずれを防止することができる。これにより、収納空間の位置ずれに起因して、収納空間に収納される製品が破損するのを抑制することができる。また、底板部の筒状の段ボール製の第１突出部を、第２仕切りの複数の切り欠き部に嵌合させることによって、筒状の段ボール製の複数の第１突
出部の両側面を第２仕切りの複数の切り欠き部の両方の内側面により挟み込むことができる。これにより、強度がそれほど高くない筒状の段ボール製の第１突出部を設けた場合でも、第１仕切りと第２仕切りとにより構成される収納空間に収納される製品の自重や上下方向の衝撃によって、第１突出部が押しつぶされにくくなるので、収納空間に収納される製品が破損するのを抑制することができる。また、筒状の段ボール製の第１突出部の緩衝機能により、上下方向の衝撃が加わった場合にも、衝撃を吸収することができる。また、底板部の第１突出部を筒状の段ボールにより形成することによって、第１突出部を複数の段ボール製の部材を積層して貼り合わせることにより形成する場合と異なり、複数の段ボール製の部材が不要になるので、その分、部品点数を削減することができる。また、第１突出部を複数の段ボール製の部材を積層して貼り合わせることにより形成する場合と異なり、複数の段ボール製の部材を積層して貼り合わせる組立作業が不要になるので、組立工数を削減することができる。また、第１突出部を筒状の段ボールにより形成することによって、第１突出部を段ボールよりも高価な発泡スチロールによって形成する場合に比べて、第１突出部の材料費を削減することができる。
【００２３】
上記第２の局面による梱包部材において、好ましくは、底板部の第１突出部は、第２仕切りの切り欠き部が形成される表面に対して交差する方向に延びるように形成されている。このように構成すれば、底板部の第１突出部が、第２仕切りの切り欠き部が形成される表面に対して交差する方向に延びるように形成されていない場合に比べて、より多くの第２仕切りに設けられた切り欠き部を、底板部の第１突出部に嵌合させることができる。この底板部の第１突出部と第２仕切りの切り欠き部との嵌合により、第２仕切りの切り欠き部の位置がずれるのをより抑制することができる。これにより、第２仕切りと、第２仕切りの第２スリットに嵌め込まれる第１仕切りとの位置がずれるのをより抑制することができるので、第１仕切りと第２仕切りとによって構成される収納空間の位置ずれをより防止することができる。これにより、収納空間の位置ずれに起因して、収納空間に収納される製品が破損するのをより抑制することができる。
【００２４】
上記第２の局面による梱包部材において、好ましくは、段ボール製の天板をさらに備え、天板は、天板の上面から上方に突出するように設けられた筒状の段ボール製の複数の第２突出部を含む。このように構成すれば、第２突出部を複数の段ボール製の部材を積層して貼り合わせることにより形成する場合と異なり、複数の段ボール製の部材が不要になるので、その分、部品点数を削減することができる。また、第２突出部を複数の段ボール製の部材を積層して貼り合わせることにより形成する場合と異なり、複数の段ボール製の部材を積層して貼り合わせる組立作業が不要になるので、組立工数を削減することができる。また、第２突出部を筒状の段ボールにより形成することによって、第２突出部を段ボールよりも高価な発泡スチロールによって形成する場合に比べて、第２突出部の材料費を削減することができる。
【００２５】
上記第２の局面による梱包部材において、好ましくは、第２仕切りは、第１仕切りの外側面から所定の長さ分、外側方に突出する側端部を有し、第１仕切りの第１スリットが形成される側の端部に一体的に形成され、外側方に折り曲げられた複数の補強片をさらに備える。このように構成すれば、複数の第２仕切りを第１仕切りに嵌め込み梱包箱に収納する場合には、外側方に折り曲げられた第１仕切りの補強片によって、第１仕切りの第１スリットが形成される側の端部が外側方に折れ曲がるのを抑制することができる。これにより、収納空間に収納される製品が水平方向に移動しても、第１仕切りの第１スリットが形成される側の端部が外側に折れ曲がるのを抑制することができるので、収納空間に収納される製品が破損するのを抑制することができる。
【発明を実施するための最良の形態】
【００２６】
以下、本発明の実施形態を図面に基づいて説明する。
【００２７】
（第１実施形態）
図１は、本発明の第１実施形態による段ボール製の梱包部材の全体構成を示した分解斜視図である。図２および図３は、図１に示した第１実施形態による段ボール製の梱包部材の仕切りを示した正面図である。図４〜図８は、図１に示した第１実施形態による段ボール製の梱包部材の構造の詳細を説明するための図である。図１〜図８を参照して、本発明の第１実施形態による段ボール製の梱包部材の構造について説明する。
【００２８】
本発明の第１実施形態による段ボール製の梱包部材は、図１に示すように、一対の仕切り１と、一対の仕切り１に組み合わされる７つの仕切り２と、底板３と、天板４と、梱包箱５とを備えている。また、図２に示すように、仕切り１には、７つのスリット１ａが設けられている。また、仕切り１には、スリット１ａが形成される側の端部に８つの補強片１ｂが一体的に設けられている。また、仕切り１には、補強片１ｂを形成するための８つの折り目１ｃが設けられている。また、図３に示すように、仕切り２には、仕切り１のスリット１ａ（図２参照）に嵌め込まれる２つのスリット２ａが設けられている。また、各々の仕切り２には、２つの切り欠き部２ｂが設けられている。また、仕切り２の側端部２ｃは、図１に示すように、仕切り１の外側面から所定の長さ分、外側方に突出するように配置されている。なお、仕切り１は、本発明の「第１仕切り」の一例であり、スリット１ａは、本発明の「第１スリット」の一例である。また、仕切り２は、本発明の「第２仕切り」の一例であり、スリット２ａは、本発明の「第２スリット」の一例である。また、底板３は、本発明の「底板部」の一例である。
【００２９】
ここで、第１実施形態では、図１に示すように、底板３の上面には、仕切り２の２つの切り欠き部２ｂに嵌め込まれる２つの筒状の段ボールからなる突出部３ａが取り付けられている。この底板３の筒状の突出部３ａは、緩衝材としての機能を有する。また、底板３の突出部３ａの両側面は、図７に示すように、仕切り２の切り欠き部２ｂの両方の内側面に挟み込まれる。また、底板３の突出部３ａは、仕切り２の切り欠き部２ｂが形成される表面に対して直交する方向に延びるように形成されている。これにより、７つの仕切り２の切り欠き部２ｂに対して、容易に、底板３の突出部３ａを嵌め込むことが可能になる。また、底板３の筒状の突出部３ａは、底板３の上面に両面テープによって貼付されている。また、天板４には、図１に示すように、筒状の段ボールからなる２つの突出部４ａが設けられている。この天板４の筒状の突出部４ａは、底板３の突出部３ａと同様、緩衝材としての機能を有する。また、天板４の突出部４ａは、天板４の上面に両面テープによって貼付されている。この天板４の下面は、仕切り１の補強片１ｂの上面および仕切り２の上端を押さえ込むように配置される。なお、突出部３ａは、本発明の「第１突出部」の一例であり、突出部４ａは、本発明の「第２突出部」の一例である。
【００３０】
また、段ボール製の梱包箱５には、図１に示すように、一対の天面フラップ部５ａと、一対の天面フラップ部５ｂとが、それぞれ、互いに対向するように設けられている。この梱包箱５の天面フラップ部５ｂは、図７に示すように、梱包箱５の天面フラップ部５ａの上部に重なるように配置される。また、天板４の突出部４ａにより、天板４の上面と梱包箱５の天面フラップ部５ａの下面との間に、梱包箱５の上部側からの衝撃を吸収することが可能な隙間が設けられる。また、仕切り１および２の側面（側端面）と梱包箱５の内側面との間に、梱包箱５の外部側からの水平方向の衝撃を吸収することが可能な隙間が設けられている。また、仕切り１の補強片１ｂは、仕切り１のスリット１ａが形成される側の端部が外側方に折れ曲がるのを抑制している。この補強片１ｂが仕切り１に設けられていない場合には、図８に示すように、水平方向の衝撃などに起因して、製品７が傾いた場合に、仕切り１のスリット１ａが形成される側の端部が外側方に折れ曲がり、仕切り１の外部側の側面と梱包箱５の内面との間の隙間がなくなる。これにより、この隙間が梱包箱５の外部側からの衝撃を吸収する機能を失うという不都合が生じる。この第１実施形態では
、補強片１ｂにより仕切り１のスリット１ａが形成される側の端部が折れ曲がるのが抑制されるので上記のような不都合が生じない。
【００３１】
また、図１に示すように、仕切り１と仕切り２とによって６つの収納空間６が構成されている。この収納空間６には、図７に示すように、製品７が収納される。また、製品７は、たとえば、テレビ用チューナーである。この製品７には、図６に示すように、下部側に突出した突起部７ａと、上部側に突出した突起部７ｂと、両側部側に突出した突起部７ｃとが設けられている。また、底板３の突出部３ａは、図７に示すように、製品７の突起部７ａに接触しないように、製品７の下面を支持している。
【００３２】
次に、図１〜図３および図７を参照して、第１実施形態による段ボール製の梱包部材の組立方法および製品の梱包方法について説明する。まず、一対の仕切り１（図２参照）を対向するように配置するとともに、その一対の仕切り１のスリット１ａに、７つの仕切り２（図３参照）のスリット２ａを嵌め込む。これにより、図１に示すように、仕切り１と仕切り２とにより６つの収納空間６を有する仕切り部材が形成される。次に、底板３と、仕切り１および仕切り２からなる仕切り部材とを、梱包箱５の上方側から順次梱包箱５に嵌め込む。さらに、６つの収納空間６に製品７を収納した後、梱包箱５の上方側から天板４を梱包箱５に嵌め込む。そして、梱包箱５の天面フラップ部５ａを内側に折り曲げた後、梱包箱５の天面フラップ部５ｂを内側に折り曲げる。これにより、図７に示すように、製品７の梱包が完了する。
【００３３】
第１実施形態では、上記のように、下部に複数の切り欠き部２ｂを有する段ボール製の複数の仕切り２と、仕切り２の複数の切り欠き部２ｂに嵌め込まれる筒状の段ボール製の複数の突出部３ａを上面に有する段ボール製の底板３とを設けることによって、底板３の突出部３ａと仕切り２の切り欠き部２ｂとの嵌め合わせにより、仕切り２の切り欠き部２ｂの位置がずれるのを抑制することができる。これにより、仕切り２と、仕切り２の第２スリットに嵌め込まれる仕切り１との位置がずれるのを抑制することができるので、仕切り１と仕切り２とによって構成される収納空間６の位置ずれを防止することができる。これにより、収納空間６の位置ずれに起因して、収納空間６に収納される製品７が破損するのを抑制することができる。また、底板３の筒状の段ボール製の突出部３ａを、仕切り２の複数の切り欠き部２ｂに嵌合させることによって、筒状の段ボール製の複数の突出部３ａの両側面を仕切り２の複数の切り欠き部２ｂの両方の内側面により挟み込むことができる。これにより、強度がそれほど高くない筒状の段ボール製の突出部３ａを設けた場合でも、仕切り１と仕切り２とにより構成される収納空間６に収納される製品７の自重や上下方向の衝撃により、突出部３ａが押しつぶされにくくなるので、収納空間６に収納される製品７が破損するのを抑制することができる。また、筒状の段ボール製の突出部３ａの緩衝機能により、上下方向の衝撃が加わった場合にも、衝撃を吸収することができる。また、底板３の突出部３ａを筒状の段ボールにより形成することによって、突出部３ａを複数の段ボール製の部材を積層して貼り合わせることにより形成する場合と異なり、複数の段ボール製の部材が不要になるので、その分、部品点数を削減することができる。また、突出部３ａを複数の段ボール製の部材を積層して貼り合わせることにより形成する場合と異なり、複数の段ボール製の部材を積層して貼り合わせる組立作業が不要になるので、組立工数を削減することができる。また、突出部３ａを筒状の段ボールにより形成することによって、突出部３ａを段ボールよりも高価な発泡スチロールによって形成する場合に比べて、突出部３ａの材料費を削減することができる。
【００３４】
また、第１実施形態では、天板４に、天板４の上面から上方に突出するように設けられた筒状の段ボール製の複数の突出部４ａを設けることによって、突出部４ａを、複数の段ボール製の部材を積層して貼り合わせることにより形成する場合と異なり、複数の段ボール製の部材が不要になるので、その分、部品点数を削減することができる。また、突出部
４ａを複数の段ボール製の部材を積層して貼り合わせることにより形成する場合と異なり、複数の段ボール製の部材を積層して貼り合わせる組立作業が不要になるので、組立工数を削減することができる。また、突出部４ａを筒状の段ボールにより形成することによって、突出部４ａを段ボールよりも高価な発泡スチロールによって形成する場合に比べて、突出部４ａの材料費を削減することができる。
【００３５】
（第２実施形態）
図９は、本発明の第２実施形態による段ボール製の梱包部材の全体構成を示した分解斜視図である。図１０は、図９に示した第２実施形態による段ボール製の梱包部材の仕切りを示した斜視図である。図１１は、図９に示した第２実施形態による段ボール製の梱包部材の仕切りを示した正面図である。この第２実施形態では、上記第１実施形態と異なり、段ボール製の仕切りに、側面部と底板部と筒状の突出部とを一体的に設けた例について説明する。なお、仕切りの構造以外は、上記第１実施形態と同様であるのでその説明を省略する。
【００３６】
第２実施形態による段ボール製の梱包部材では、図１０に示すように、側面部５１ａと、底板部５１ｂと、筒状の突出部５１ｃとが一体的に形成された仕切り５１が設けられている。また、図１１に示すように、各々の仕切り５１には、７つのスリット５１ｄが設けられている。また、仕切り５１には、スリット５１ｄが形成される側の端部に８つの補強片５１ｅが一体的に設けられている。また、仕切り５１には、補強片５１ｅを形成するための８つの折り目５１ｆが設けられている。また、仕切り５１には、梱包箱５（図９参照）内に挿入する際のガイドとなる４つのガイド部５１ｇが設けられている。このガイド部５１ｇは、底板部５１ｂの位置が外側方にずれることを抑制するとともに、緩衝材としての機能も有する。また、仕切り５１には、ガイド部５１ｇを形成するための４つの切り込み５１ｈが設けられている。また、各々の仕切り５１のガイド部５１ｇには、５つの折り目５１ｉが設けられている。また、仕切り５１の底板部５１ｂには、折り目５１ｊが設けられている。なお、仕切り５１は、本発明の「第１仕切り」の一例である。また、スリット５１ｄは本発明の「第１スリット」の一例である。また、突出部５１ｃは本発明の「第１突出部」の一例である。なお、仕切り５１のスリット５１ｄには、図９に示すように、第１実施形態と同様の構成を有する仕切り２が嵌め込まれる。
【００３７】
第２実施形態では、上記のように、仕切り５１に底板部５１ｂを一体的に設けることによって、底板部５１ｂを仕切り５１とは別個に設ける場合に比べて、部品点数を削減することができる。また、筒状の突出部５１ｃを仕切り５１に一体的に設けることによって、突出部５１ｃを仕切り５１とは別個に設ける場合に比べて、部品点数を削減することができる。
【００３８】
次に、図１０および図１１を参照して、第２実施形態による段ボール製の梱包部材の仕切り５１の組立方法について説明する。まず、折り目５１ｉ（図１１参照）を水平に折り曲げる。これにより、ガイド部５１ｇを仕切り５１から外側方に突出させるとともに、側面部５１ａに対してガイド部５１ｇおよび底板部５１ｂを直角方向に延びるように形成する。次に、底板部５１ｂを順次丸めるように同一方向に折り曲げていくことによって、折り目５１ｊを筒状に形成する。これにより、筒状の突出部５１ｃが形成される。また、折り目５１ｆを水平に９０°折り曲げることにより、補強片５１ｅが形成される。これにより、図１０に示すような仕切り５１が形成される。このように形成された仕切り５１に仕切り２を嵌め込むことによって、図９に示した第２実施形態の仕切り構造（梱包部材）が形成される。
【００３９】
なお、今回開示された実施形態は、すべての点で例示であって制限的なものではないと考えられるべきである。本発明の範囲は、上記した実施形態の説明ではなく特許請求の範
囲によって示され、さらに特許請求の範囲と均等の意味および範囲内でのすべての変更が含まれる。
【００４０】
たとえば、上記実施形態では、本発明の梱包部材に収納される製品の一例としてテレビ用チューナーを示したが、本発明はこれに限らず、テレビ用チューナー以外の他の製品にも適用可能である。
【００４１】
また、上記第１実施形態では、一対の仕切り１に対して、７つの仕切り２を嵌め込む例を示したが、本発明はこれに限らず、一対の仕切り１に対して、７つ以外の２つ以上の仕切りを嵌め込んでもよい。
【００４２】
また、上記実施形態では、天板に、天板の上面から上方に突出するように筒状の段ボール製の２つの突出部を設ける例を示したが、本発明はこれに限らず、天板に、筒状の突出部を設けなくてもよい。
【００４３】
また、上記第１実施形態では、底板および天板の上面に、それぞれ、筒状の段ボール製の突出部を両面テープによって貼り付ける例を示したが、本発明はこれに限らず、図１２に示す変形例のように、底板部１５３の両側部の中央部のみを内側に折り曲げることにより、底板部１５３と一体的に筒状の段ボール製の突出部１５３ａとともに、天板１５４の両側部を内側に折り曲げることにより、天板１５４と一体的に筒状の段ボール製の突出部１５４ａを形成してもよい。このようにすれば、突出部を底板および天板とは別体で形成して底板または天板に両面テープで貼付する場合に比べて、部品点数および組立工数を削減することができる。
【図面の簡単な説明】
【００４４】
【図１】本発明の第１実施形態による段ボール製の梱包部材の全体構成を示した分解斜視図である。
【図２】図１に示した第１実施形態による段ボール製の梱包部材の仕切りを示した正面図である。
【図３】図１に示した第１実施形態による段ボール製の梱包部材の仕切りを示した正面図である。
【図４】図１に示した第１実施形態による段ボール製の梱包部材を梱包箱に配置した状態の平面図である。
【図５】図１に示した第１実施形態による段ボール製の梱包部材の突出部を示した部分斜視図である。
【図６】図１に示した第１実施形態による段ボール製の梱包部材に収納される製品を示した正面図である。
【図７】図１に示した第１実施形態による段ボール製の梱包部材により製品を収納した状態を説明するための内部透視図である。
【図８】図１に示した第１実施形態による段ボール製の梱包部材の衝撃時における状態を説明するための内部透視図である。
【図９】本発明の第２実施形態による段ボール製の梱包部材の全体構成を示した分解斜視図である。
【図１０】図９に示した第２実施形態による段ボール製の梱包部材の仕切りを示した斜視図である。
【図１１】図９に示した第２実施形態による段ボール製の梱包部材の仕切りを示した正面図である。
【図１２】図１に示した第１実施形態の変形例による段ボール製の梱包部材の全体構成を示した分解斜視図である。
【図１３】従来の一例による段ボール製の梱包部材の全体構成を示した分解斜視図である。
【図１４】図１３に示した従来の一例による段ボール製の梱包部材の仕切りを示した正面図である。
【図１５】図１３に示した従来の一例による段ボール製の梱包部材の仕切りを示した正面図である。
【図１６】図１３に示した従来の一例による段ボール製の梱包部材を梱包箱に配置した状態の平面図である。
【図１７】図１３に示した従来の一例による段ボール製の梱包部材の突出部を示した部分斜視図である。
【図１８】図１３に示した従来の一例による段ボール製の梱包部材により製品を収納した状態を説明するための内部透視図である。
【符号の説明】
【００４５】
１、５１  仕切り（第１仕切り）
１ａ、５１ｄ  スリット（第１スリット）
１ｂ、５１ｅ  補強片
２  仕切り（第２仕切り）
２ｂ  切り欠き部
２ｃ  側端部
３  底板（底板部）
３ａ、５１ｃ  突出部（第１突出部）
４  天板
４ａ  突出部（第２突出部）
５１ｂ  底板部    
【図１】
2006062665.tif 000003
【図２】
2006062665.tif 000004
【図３】
2006062665.tif 000005
【図４】
2006062665.tif 000006
【図５】
2006062665.tif 000007
【図６】
2006062665.tif 000008
【図７】
2006062665.tif 000009
【図８】
2006062665.tif 000010
【図９】
2006062665.tif 000011
【図１０】
2006062665.tif 000012
【図１１】
2006062665.tif 000013
【図１２】
2006062665.tif 000014
【図１３】
2006062665.tif 000015
【図１４】
2006062665.tif 000016
【図１５】
2006062665.tif 000017
【図１６】
2006062665.tif 000018
【図１７】
2006062665.tif 000019
【図１８】
2006062665.tif 000020